(57)【要約】【課題】従来の７セグメントの「８」字形に比べて、一通りの英字、漢数字及びカタカナ文字の表示を行うことが可能な遊技機におけるセグメント表示器を提供すること。【解決手段】複数のセグメントを縦横に配置した表示体によって所要の文字表示を行うように構成した遊技機におけるセグメント表示器であって、表示体Ｈは、７個のセグメント（ｓ１〜ｓ７）を「８」の字形として中央に配置すると共に、その字形の左側に５個のセグメント（ｓ８〜ｓ１２）からなる「３」の字形の鏡文字を、その「８」の字形の右側に５個のセグメント（ｓ１３〜ｓ１７）からなる正規の「３」の字形を夫々配置し、かつ、各セグメントの縦方向と横方向の間隔を等しくするように構成した。【選択図】　図１
2004113684.tif 000002
【特許請求の範囲】
【請求項１】
複数のセグメントを縦横に配置した表示体によって所要の文字表示を行うように構成した遊技機におけるセグメント表示器であって、
前記表示体は、７個のセグメントを「８」の字形として中央に配置すると共に、その字形の左側に５個のセグメントからなる「３」の字形の鏡文字を、その「８」の字形の右側に５個のセグメントからなる正規の「３」の字形を夫々配置し、かつ、各セグメントの縦方向と横方向の間隔を等しくするように構成されていることを特徴とした遊技機におけるセグメント表示器。
【請求項２】
前記表示体は、前記「８」の字形を構成する縦２列の何れかの列のセグメントの上部に、１個のセグメントを延長状に配置されていることを特徴とした請求項１に記載の遊技機におけるセグメント表示器。
【請求項３】
前記表示体は、前記「８」の字形を構成する縦２列のセグメントの各上部に、１個のセグメントを延長状に夫々配置されていることを特徴とした請求項１に記載の遊技機におけるセグメント表示器。
【発明の詳細な説明】
【０００１】
【発明の属する技術分野】
本発明は、パチンコ機等の遊技機におけるセグメント表示器に関する。
【０００２】
【従来の技術】
遊技機として代表的なパチンコ機は、例えば、遊技盤の遊技領域に通過ゲートと、普通図柄表示部及び特別図柄表示部を備えた図柄表示器と、始動入賞装置及び大入賞装置を設け、遊技領域に打ち込まれたパチンコ球が通過ゲートを通過することにより普通図柄表示部に所定図柄を表して停止させ、始動入賞装置にパチンコ球が入賞することにより図柄表示器の特別図柄表示部を作動させ、その特別図柄表示部が所定の図柄、例えば、３桁の数字：「７７７」を表して停止すると「大当たり」と言われる特定遊技状態が発生して大入賞装置の大入賞口をパチンコ球を受け入れる開放状態とし、所定の条件に基づいてその開放状態が所定回数（通常、最高１６回まで）だけ繰り返されて多量の景品球を放出することができるような構造のものが知られている。
【０００３】
上記図柄表示器の表示部には、７個のセグメントを「８」字形に配置した発光ダイオード（ＬＥＤ）を用いる方式、液晶ディスプレー（ＬＣＤ）やブラウン管（ＣＲＴ）方式が使用されている。その中で７個のセグメントを「８」字形に配置したものを３桁に表すセグメント表示器としては、例えば、特開２００２−６６００８号公報に開示されている。この表示器は、「８」字形の主表示部を構成する各セグメントに、さらに７個のセグメントを沿うように配置して影付数字を表す補助表示部を設けたものであって、主表示部に表示される数字、主表示部及び補助表示部に表示される影付数字、補助表示部のみに表示される影付数字の３つのパターンを表示可能としている。
【０００４】
また、特開２００１−２２２９９号公報には、１のセグメント表示体が格子状に配列された２０乃至４０のセグメントを有する表示装置が開示されている。この表示装置は、多くのセグメントを用いることによって図柄（数字）の拡大縮小、スクロール等の表現を可能とする構造とされている。
【０００５】
【発明が解決しようとする課題】
従来のセグメント表示器については、他の方式の表示器と比べて低コストであり、表示制御も複雑ではないという利点を有する。しかし、数字や特定の英字の表示に限定されていて、全ての英字や漢数字等の多様な表現を行うことができないというデザイン上の制約、不都合があった。
【０００６】
この発明の目的は、従来の７セグメントの「８」字形に比べて、一通りの英字、漢数字及びカタカナ文字の表示を行うことが可能な遊技機におけるセグメント表示器を提供することにある。
【０００７】
【課題を解決するための手段】
前記目的を達成するために請求項１に記載した発明は、複数のセグメントを縦横に配置して所定の文字表示を行う表示体を備えた遊技機におけるセグメント表示器であって、前記表示体は、７個のセグメントを「８」の字形として中央に配置すると共に、その字形の左側に５個のセグメントからなる「３」の字形の鏡文字を、その「８」の字形の右側に５個のセグメントからなる正規の「３」の字形を夫々配置し、かつ、各セグメントの縦方向と横方向の間隔を等しくするように構成されていることを特徴とする。
【０００８】
同様の目的を達成するために請求項２に記載した発明は、請求項１に記載の遊技機におけるセグメント表示器において、前記表示体は、前記「８」の字形を構成する縦２列の何れかの列のセグメントの上部に、１個のセグメントを延長状に配置されていることを特徴としたものである。
【０００９】
同様の目的を達成するために請求項３に記載した発明は、請求項１に記載の遊技機におけるセグメント表示器において、前記表示体は、前記「８」の字形を構成する縦２列のセグメントの各上部に、１個のセグメントを延長状に夫々配置されていることを特徴としたものである。
【００１０】
【発明の作用及び効果】
（請求項１の発明）
この表示器の表示体は、１７個のセグメントにより構成されており、数字と一通りの英字を表示することができるので、表現力が豊かになる。
【００１１】
（請求項２の発明）
この表示器の表示体は、１８個のセグメントにより構成されており、数字、一通りの英字及び漢数字を表示することができるので、表現力がさらに豊かになる。
【００１２】
（請求項３の発明）
この表示器の表示体は、１９個のセグメントにより構成されており、数字、一通りの英字、漢数字及びカタカナ文字を表示することができるので、表現力が格段に豊かになる。
【００１３】
この遊技機におけるセグメント表示器は、従来の７セグメントの「８」字形に比べて、一通りの英字、漢数字及びカタカナ文字の表示を行うことができることから、表現力が著しく豊かになる。これをパチンコ機やパチスロ機等に適用すれば、ゲームの興趣を高めるのに寄与する。
【００１４】
【発明の実施の形態】
以下に、本発明の実施の形態例を図面に基づいて説明する。図１は第１実施例の表示体の正面図、図２は図１のＡ−Ａ線断面図、図３は表示体の分解斜視図、図４は発光ダイオードが所定位置に配設された基板の正面図、図５は図１に示す表示体による表現例、図６は第２実施例の表示体の正面図、図７は図６に示す表示体による表現例、図８は第２実施例の表示体を用いたセグメント表示器の正面図、図９は第３実施例の表示体の正面図、図１０は図９に示す表示体による表現例である。
【００１５】
本発明の遊技機におけるセグメント表示器は、所要の文字を表示する表示部と、その表示部の文字パターンを制御する制御部（図示せず）とからなる。その制御部については、遊技機がパチンコ機の場合であれば、パチンコゲームの制御処理を司るために設けられる制御装置にてその機能をもたせるように構成するものとする。また、上記表示部に用いられる表示体については、以下に述べる３つの形態（Ｈ，Ｉ，Ｊ）がある。
【００１６】
（第１実施例）
図１に示す表示体Ｈは、７個のセグメント（ｓ１〜ｓ７）を「８」の字形として中央に配置すると共に、その字形の左側に５個のセグメント（ｓ８〜ｓ１２）からなる「３」の字形の鏡文字を、その「８」の字形の右側に５個のセグメント（ｓ１３〜ｓ１７）からなる正規の「３」の字形を夫々配置し、かつ、各セグメント（ｓ１〜ｓ１７）の縦方向と横方向の間隔を等しくするように設けられている。
【００１７】
この表示体Ｈは、図３、図５に示すように、３個１組の発光ダイオード（ＬＥＤ）が上記セグメント（ｓ１〜ｓ１７）を構成する位置に夫々配設された基板１０と、セグメント（ｓ１〜ｓ１７）を構成する位置に透孔１６を夫々形成したリフレクタ１５と、フィルム状の拡散シート２０と、セグメント（ｓ１〜ｓ１７）を構成する各々の箇所を少し膨出させるように形成された表示レンズ２５とを、サンドイッチ状に重ねて設けられている。なお、発光ダイオード（ＬＥＤ）については、赤・緑・青の３色を１組とするか、赤・緑の２色を１組として設けることがデザイン的に好ましい。
【００１８】
かかる構成になる表示体Ｈにより、アルファベット大文字、数字を表した例を図５に示す。
【００１９】
（第２実施例）
図６に示す表示体Ｉは、７個のセグメント（ｓ１〜ｓ７）を「８」の字形として中央に配置すると共に、その字形の左側に５個のセグメント（ｓ８〜ｓ１２）からなる「３」の字形の鏡文字を、その「８」の字形の右側に５個のセグメント（ｓ１３〜ｓ１７）からなる正規の「３」の字形を夫々配置し、かつ、その「８」の字形の左縦列のセグメント（ｓ１）の上部に、１個のセグメント（ｓ１８）を延長状に配置し、各セグメント（ｓ１〜ｓ１８）の縦方向と横方向の間隔を等しくするように設けられている。
【００２０】
この表示体Ｉは、第１実施例の表示体Ｈと同様に、図示しない基板・リフレクタ・拡散シート・表示レンズがサンドイッチ状に重ねて設けられている。
【００２１】
かかる構成になる表示体Ｉにより、漢数字を表した例を図７に示した。
【００２２】
図８には、上記表示体Ｉを用いたパチンコ機用セグメント表示器３０を示す。このセグメント表示器３０では、遊技盤に取り付けられる枠体３１内に表示体Ｉを３桁に配設し、図示しない始動入賞装置にパチンコ球が入賞することにより表示体Ｉを作動させて、３桁の数字を変動表示するように構成されている。
【００２３】
（第３実施例）
図９に示す表示体Ｊは、７個のセグメント（ｓ１〜ｓ７）を「８」の字形として中央に配置すると共に、その字形の左側に５個のセグメント（ｓ８〜ｓ１２）からなる「３」の字形の鏡文字を、その「８」の字形の右側に５個のセグメント（ｓ１３〜ｓ１７）からなる正規の「３」の字形を夫々配置し、かつ、その「８」の字形を構成する縦２列のセグメントの各上部に、１個のセグメントを延長状に夫々配置し、各セグメント（ｓ１〜ｓ１９）の縦方向と横方向の間隔を等しくするように設けられている。
【００２４】
この表示体Ｊは、第１実施例の表示体Ｈと同様に、図示しない基板・リフレクタ・拡散シート・表示レンズがサンドイッチ状に重ねて設けられている。
【００２５】
かかる構成になる表示体Ｊにより、一通りのカタカナを表した例を図１０に示した。
【００２６】
以上の通り、この遊技機におけるセグメント表示器は、従来の７セグメントの「８」字形に比べて、一通りの英字、漢数字及びカタカナ文字の表示を行うことができるため、表現力を著しく豊かにすることができる利点がある。
【図面の簡単な説明】
【図１】第１実施例の表示体の正面図
【図２】図２は図１のＡ−Ａ線断面図
【図３】表示体の分解斜視図
【図４】発光ダイオードが所定位置に配設された基板の正面図
【図５】図１に示す表示体による表現例
【図６】第２実施例の表示体の正面図
【図７】図６に示す表示体による表現例
【図８】第２実施例の表示体を用いたセグメント表示器の正面図
【図９】第３実施例の表示体の正面図
【図１０】図９に示す表示体による表現例
【符号の説明】
Ｈ，Ｉ，Ｊ・・・表示体
ｓ１〜ｓ１９・・・セグメント
１０・・・基板
ＬＥＤ・・・発光ダイオード
１５・・・リフレクタ
２０・・・拡散シート
２５・・・表示レンズ
３０・・・セグメント表示器
【図１】
2004113684.tif 000003
【図２】
2004113684.tif 000004
【図３】
2004113684.tif 000005
【図４】
2004113684.tif 000006
【図５】
2004113684.tif 000007
【図６】
2004113684.tif 000008
【図７】
2004113684.tif 000009
【図８】
2004113684.tif 000010
【図９】
2004113684.tif 000011
【図１０】
2004113684.tif 000012